(57)【特許請求の範囲】
【請求項１】
少なくとも塩化ナトリウム、カルシウム塩、炭酸塩及びキレート剤を混合して人工海水用組成物を製造するに際し、
カルシウム塩とキレート剤の混合を行った後に、炭酸塩の添加混合を行い、
カルシウム塩／キレート剤＝１／２〜４０／１（質量比）の比率範囲に設定することを特徴とする人工海水用組成物の製造方法。
【請求項２】
少なくとも塩化ナトリウム、カルシウム塩、炭酸塩及びキレート剤を混合して人工海水用組成物を製造するに際し、
炭酸塩とキレート剤の混合を行った後に、カルシウム塩の添加混合を行い、
カルシウム塩／キレート剤＝１／２〜４０／１（質量比）の比率範囲に設定することを特徴とする人工海水用組成物の製造方法。
【請求項３】
前記キレート剤としてエチレンジアミンテトラ酢酸キレートを用いる請求項１または２に記載の人工海水用組成物の製造方法。
【請求項４】
前記エチレンジアミンテトラ酢酸キレートがエチレンジアミン四酢酸二ナトリウムである請求項３に記載の人工海水用組成物の製造方法。
【請求項５】
請求項１〜４のいずれか１項に記載の製造方法により製造された人工海水用組成物。
【発明の詳細な説明】
【技術分野】
【０００１】
この発明は、例えば海水等に棲息する動植物などを飼育するための人工海水を作製するのに用いられる人工海水用組成物の製造方法に関する。
【背景技術】
【０００２】
この種の人工海水としては、塩化ナトリウム、カルシウム塩、炭酸塩などの各種塩類を含有したものが公知である（特許文献１、２参照）。一般には、これら各種塩類が予め所定割合で混合されてなる人工海水用組成物が市販されており、使用者がこの人工海水用組成物を所定量の水に溶解して人工海水を調製して使用に供される。
【特許文献１】特開平８−３７９８８号公報
【特許文献２】特開平６−７０６６２号公報
【発明の開示】
【発明が解決しようとする課題】
【０００３】
しかしながら、少なくとも塩化ナトリウム、カルシウム塩、炭酸塩が混合されてなる人工海水用組成物を水に溶解して人工海水を調製した場合、人工海水が少し白く濁ったものになるという問題があった。この人工海水を例えば観賞魚用水槽の水槽水として用いる場合には少し白く濁っていることにより観賞魚が見えづらくなり観賞性が低下するという難点があった。また、濁っているとイオンバランスが不安定であるため、海水生物を飼育できる状態になるまでに時間を要するという問題もあった。
【０００４】
この発明は、かかる技術的背景に鑑みてなされたものであって、人工海水を調製したときに該人工海水に白い濁りが生じることのない人工海水用組成物の製造方法を提供することを目的とする。
【課題を解決するための手段】
【０００５】
本発明者は、上記人工海水が少し白く濁っている原因を鋭意究明した結果、この白濁の原因は、前記各種塩類を混合して人工海水用組成物を作製した段階において、該組成物中に水に非常に溶解しにくい炭酸カルシウムを生成しているためであることが判った。即ち、人工海水用組成物中に生成された炭酸カルシウムが水に溶解しにくく、これが人工海水の白濁の原因になっていることが判った。
【０００６】
本発明者は、このような人工海水の白濁を防止するべく鋭意研究した結果、カルシウム塩のカルシウムに関してキレート剤との間でキレートを形成できるような製造方法を採用すれば、上記人工海水における白濁の問題を解消できることを見出すに至り、本発明を完成したものである。
【０００７】
前記目的を達成するために、本発明は以下の手段を提供する。
【０００８】
［１］少なくとも塩化ナトリウム、カルシウム塩、炭酸塩及びキレート剤を混合して人工海水用組成物を製造するに際し、
カルシウム塩とキレート剤の混合を行った後に、炭酸塩の添加混合を行うことを特徴とする人工海水用組成物の製造方法。
【０００９】
［２］少なくとも塩化ナトリウム、カルシウム塩、炭酸塩及びキレート剤を混合して人工海水用組成物を製造するに際し、
炭酸塩とキレート剤の混合を行った後に、カルシウム塩の添加混合を行うことを特徴とする人工海水用組成物の製造方法。
【００１０】
［３］前記キレート剤としてエチレンジアミンテトラ酢酸キレートを用いる前項１または２に記載の人工海水用組成物の製造方法。
【００１１】
［４］前記エチレンジアミンテトラ酢酸キレートがエチレンジアミン四酢酸二ナトリウムである前項３に記載の人工海水用組成物の製造方法。
【００１２】
［５］前項１〜４のいずれか１項に記載の製造方法により製造された人工海水用組成物。
【発明の効果】
【００１３】
［１］の発明では、炭酸塩の添加の前に、先にカルシウム塩とキレート剤を混合するので、カルシウム塩のカルシウムがキレート剤との間でキレートを形成するものと考えられ、このカルシウムキレートの形成により、この後に炭酸塩が添加されても炭酸カルシウムの生成が十分に抑制される。即ち、本製造方法により得られた人工海水用組成物は、カルシウム塩と炭酸塩とを含有するにもかかわらず、炭酸カルシウムの生成が十分に抑制されたものとなる。従って、得られた人工海水用組成物を用いて調製された人工海水は、白い濁りが生じることがなく、透明度の高いものとなる。また、水に非常に溶解しにくい炭酸カルシウムの生成が抑制されることで人工海水におけるカルシウムイオンの溶解量が大きく増大するので、十分な緩衝作用が得られ、ｐＨの変動の少ない人工海水が得られる。また、濁りがないことで、イオンバランスが安定であり、人工海水調製後に直ちに海水生物を飼育できる状態になる。なお、この［１］の発明において、塩化ナトリウムの混合順序は特に限定されない。
【００１４】
［２］の発明では、炭酸塩とキレート剤とが混合された混合状態のところに、カルシウム塩の添加混合を行うものであるが、この時、カルシウム塩のカルシウムは、炭酸カルシウムを形成するよりも優先的にキレート剤との間でキレートを形成するものと考えられ（即ちカルシウムイオンはキレート剤との間できわめてたやすくキレートを形成する）、このようにカルシウムキレートが優先的に形成されることで、炭酸カルシウムの生成が十分に抑制される。即ち、本製造方法により得られた人工海水用組成物は、カルシウム塩と炭酸塩とを含有するにもかかわらず、炭酸カルシウムの生成が十分に抑制されたものとなる。従って、得られた人工海水用組成物を用いて調製された人工海水は、白い濁りが生じることがなく、透明度の高いものとなる。また、水に非常に溶解しにくい炭酸カルシウムの生成が抑制されることで人工海水におけるカルシウムイオンの溶解量が大きく増大するので、十分な緩衝作用が得られ、ｐＨの変動の少ない人工海水が得られる。また、濁りがないことで、イオンバランスが安定であり、人工海水調製後に直ちに海水生物を飼育できる状態になる。なお、この［２］の発明において、塩化ナトリウムの混合順序は特に限定されない。
【００１５】
［３］の発明では、キレート剤としてエチレンジアミンテトラ酢酸キレートを用いるので、炭酸カルシウム塩の生成が十分に抑制された人工海水用組成物を製造することができる。
【００１６】
［４］の発明では、キレート剤としてエチレンジアミン四酢酸二ナトリウムを用いるので、炭酸カルシウム塩の生成がさらに十分に抑制された人工海水用組成物を製造することができる。
【００１７】
［５］の発明に係る人工海水用組成物を用いて調製した人工海水は、濁りがなく透明性に優れたものになるので、例えば海水生物等の観賞性を向上できる他、十分な緩衝作用が得られｐＨの変動が少なく、またイオンバランスも良好であり調製後直ちに海水生物を飼育できる状態になる。
【発明を実施するための最良の形態】
【００１８】
第１発明に係る人工海水用組成物の製造方法は、少なくとも塩化ナトリウム、カルシウム塩、炭酸塩及びキレート剤を混合して人工海水用組成物を製造するに際し、カルシウム塩とキレート剤の混合を行った後に炭酸塩の添加混合を行うことを特徴とする。
【００１９】
この第１発明の製造方法では、炭酸塩の添加の前に、先にカルシウム塩とキレート剤を混合するので、カルシウム塩のカルシウムがキレート剤との間でキレートを形成するものと考えられ、このカルシウムキレート（水溶性）の形成により、この後に炭酸塩が添加されても炭酸カルシウムの生成が十分に抑制される。従って、本製造方法により得られた人工海水用組成物を用いて調製された人工海水は、白い濁りが生じることがなく、透明度の高いものとなる。
【００２０】
また、第２発明に係る人工海水用組成物の製造方法は、少なくとも塩化ナトリウム、カルシウム塩、炭酸塩及びキレート剤を混合して人工海水用組成物を製造するに際し、炭酸塩とキレート剤の混合を行った後にカルシウム塩の添加混合を行うことを特徴とする。
【００２１】
この第２発明の製造方法は、炭酸塩とキレート剤とが混合された混合状態のところに、カルシウム塩の添加混合を行うのであるが、添加混合されたカルシウム塩のカルシウムは、炭酸カルシウムを形成するよりも優先的にキレート剤との間でキレートを形成するものと考えられ（即ちカルシウムイオンはキレート剤との間できわめてたやすくキレートを形成する）、このようにカルシウムキレート（水溶性）が優先的に形成されることで、炭酸カルシウムの生成が十分に抑制される。従って、得られた人工海水用組成物を用いて調製された人工海水は、白い濁りが生じることがなく、透明度の高いものとなる。
【００２２】
この発明において、前記キレート剤としては、炭酸カルシウム塩の生成を十分に抑制できる点で、エチレンジアミンテトラ酢酸キレートを用いるのが好ましいが、特にこれに限定されるものではない。中でも、前記キレート剤としてはエチレンジアミン四酢酸二ナトリウムを用いるのが特に好ましい。
【００２３】
また、前記キレート剤は、カルシウム塩に対して次のような比率範囲で混合するのが好ましい。即ち、カルシウム塩／キレート剤＝１／２〜４０／１（質量比）に設定するのが好ましい。このような比率範囲に設定することにより、低コストを維持しつつ、炭酸カルシウム塩の生成を十分に抑制することができる。
【００２４】
この発明の製造方法では、少なくとも塩化ナトリウム、カルシウム塩、炭酸塩及びキレート剤を混合して人工海水用組成物を製造するのであるが、これら以外に添加混合する成分としては、特に限定されないが、例えばＭｇＳＯ4、ＫＣｌ、ＭｇＣｌ2、Ｎａ2ＳＯ4等が挙げられる。また、前記カルシウム塩としては例えばＣａＣｌ2等が挙げられ、前記炭酸塩としては例えばＮａ2ＣＯ3、ＮａＨＣＯ3等が挙げられる。
【００２５】
しかして、ＮａＣｌ、ＭｇＳＯ4、ＫＣｌ、ＣａＣｌ2、ＭｇＣｌ2、Ｎａ2ＳＯ4、キレート剤、Ｎａ2ＣＯ3、ＮａＨＣＯ3が混合された人工海水用組成物を製造する場合において、組成物全体に対する各成分の含有割合は、ＮａＣｌ：６２〜６６質量％、ＭｇＳＯ4：２〜６質量％、ＫＣｌ：１〜４質量％、ＣａＣｌ2：１〜４質量％、ＭｇＣｌ2：１７〜２１質量％、Ｎａ2ＳＯ4：４〜８質量％、キレート剤：０．１〜２質量％、Ｎａ2ＣＯ3：０．０３〜０．０５質量％、ＮａＨＣＯ3：０．２〜０．５質量％の範囲とするのが好ましい。勿論、これら各成分以外の微量成分等の成分を含有した組成としても良い。
【００２６】
また、上記のようにして製造された人工海水用組成物を水に溶解せしめて人工海水を調製する際には、水１００質量部に対して前記人工海水用組成物を３．１〜４．１質量部溶解せしめて人工海水を調製するのが良い。
【００２７】
なお、この発明の製造方法において、カルシウム塩、炭酸塩及びキレート剤を除く他の添加成分（塩化ナトリウム等）については、その混合順序は特に限定されない（即ちどの段階で混合しても良い）。
【実施例】
【００２８】
次に、この発明の具体的実施例について説明するが、本発明はこれら実施例のものに特に限定されるものではない。
【００２９】
＜実施例１＞
容器内に、ＮａＣｌを６４．０００質量部、ＭｇＳＯ4を４．２９３質量部、ＫＣｌを２．１９６質量部、ＣａＣｌ2を２．４３９質量部、ＭｇＣｌ2を１９．５１６質量部、Ｎａ2ＳＯ4を６．５８７質量部この順に入れて攪拌混合した後、エチレンジアミン４酢酸ナトリウムを０．５８０質量部添加して攪拌混合し、次いでさらにＮａ2ＣＯ3を０．０３９質量部、ＮａＨＣＯ3を０．２４４質量部この順に入れて攪拌混合することによって、人工海水用組成物を得た。なお、各成分としては、いずれも粉末状のものを用いた。
【００３０】
得られた人工海水用組成物３６ｇを純水１０００ｇに溶解せしめて人工海水を調製したところ、この人工海水に白濁は生じておらず、透明であった。
【００３１】
＜実施例２＞
容器内に、ＮａＣｌを６４．０００質量部、ＭｇＳＯ4を４．２９３質量部、ＫＣｌを２．１９６質量部、Ｎａ2ＣＯ3を０．０３９質量部、ＮａＨＣＯ3を０．２４４質量部、ＭｇＣｌ2を１９．５１６質量部、Ｎａ2ＳＯ4を６．５８７質量部この順に入れて攪拌混合した後、エチレンジアミン４酢酸ナトリウムを０．５８０質量部添加して攪拌混合し、次いでさらにＣａＣｌ2を２．４３９質量部入れて攪拌混合することによって、人工海水用組成物を得た。なお、各成分としては、いずれも粉末状のものを用いた。
【００３２】
得られた人工海水用組成物３６ｇを純水１０００ｇに溶解せしめて人工海水を調製したところ、この人工海水に白濁は生じておらず、透明であった。
【００３３】
＜比較例１＞
容器内に、ＮａＣｌを６４．０００質量部、ＭｇＳＯ4を４．２９３質量部、ＫＣｌを２．１９６質量部、ＣａＣｌ2を２．４３９質量部、ＭｇＣｌ2を１９．５１６質量部、Ｎａ2ＳＯ4を６．５８７質量部、Ｎａ2ＣＯ3を０．０３９質量部、ＮａＨＣＯ3を０．２４４質量部この順に入れて攪拌混合することによって、人工海水用組成物を得た。なお、各成分としては、いずれも粉末状のものを用いた。
【００３４】
得られた人工海水用組成物３６ｇを純水１０００ｇに溶解せしめて人工海水を調製したところ、この人工海水は少し白く濁っており十分な透明性が得られなかった。
【００３５】
＜比較例２＞
容器内に、ＮａＣｌを６４．０００質量部、ＭｇＳＯ4を４．２９３質量部、ＫＣｌを２．１９６質量部、ＣａＣｌ2を２．４３９質量部、ＭｇＣｌ2を１９．５１６質量部、Ｎａ2ＳＯ4を６．５８７質量部、Ｎａ2ＣＯ3を０．０３９質量部、ＮａＨＣＯ3を０．２４４質量部この順に入れて攪拌混合した後、エチレンジアミン４酢酸ナトリウムを０．５８０質量部添加して攪拌混合することによって、人工海水用組成物を得た。なお、各成分としては、いずれも粉末状のものを用いた。
【００３６】
得られた人工海水用組成物３６ｇを純水１０００ｇに溶解せしめて人工海水を調製したところ、この人工海水は少し白く濁っており十分な透明性が得られなかった。